(57)【特許請求の範囲】
【請求項１】
上部半割体１と下部半割体２とを備えるネックレスチェーンの係止体であって、
前記下部半割体２には、一端部に衝合部７iを備える円筒部２１が形成され、他端部に衝合部８iを備える半円筒状の下側凹部２２が形成されると共に、中央部に前記上部半割体１に形成された上側係合部１２の係合凸部１３と係合する係合凹部２４を備える下側係合部２３が設けられ、
前記上部半割体１には、一端部に開口部が形成された押圧部５が形成され、他端部に衝合部８iを備える半円筒状の上側凹部１１が形成されると共に、中央部に前記下部半割体２の係合凹部２４と係合する係合凸部１３が設けられ、
前記両衝合部と、前記上部半割体１及び前記下部半割体２の各中央部との間に、ネックレスチェーン端部の係止部の移動を可能とする空所が形成されており、
前記押圧部５と前記下側凹部２２との間にばね４を設けて、前記押圧部５の押圧により前記下部半割体２に軸支された前記上部半割体１の一端を開閉自在としたことを特徴とするネックレスチェーンの係止体。
【発明の詳細な説明】
【０００１】
【産業上の利用分野】
本発明は、ネックレスチェ−ンの係止体に関する。
【０００２】
【従来の技術】
装飾品として従来、貴金属、金属等のネックレスチェ−ンが用いられている。しかし、一般的にそれらネックレスチェ−ンは細径であり、首部に装着する際にはその端部どうしを接続するときに両手を首部の後部に回し、装着するのが普通である。しかし、ネックレスチェ−ンの装着はやりにくいことが多く、装着に他人の手を借りることも多い。その原因は主として、ネックレスチェ−ンを装着するための接続部（以下、係止体という。）が、ネックレスチェ−ンの両端のリングから構成されており、一方のリングに可動部を設けることにより、切欠部を一時的に形成して他方のリングを結合させる構造にある。また、リングによらず、一方に可動鉤部を設け、他方のリングに結合するものもある。
【０００３】
【発明が解決しようとする課題】
ネックレスチェ−ンの接続部に可動部を有するものは、小さなリングに可動部を設けるという製造の困難性があった。また、ネックレスチェ−ンの一端の鉤部を他端の孔部に装着するものがあるが、それも装着を困難にしていることにかわりはなかった。また、従来用いられているリングや鉤部はネックレスチェ−ンの径に対応して小さく作られてはいるが、それでもチェ−ンの径に対してかなり大径になり、その結果、ネックレスチェ−ン全体の体裁が良くなく、デザインが制限されるという問題があった。また、女性用のネックレスチェ−ンは、チェ−ン本体がかなり細径のものがあり、その場合に係止体は、それなりの細さのものが求められているが、そのような係止体を製造することは困難であった。そこで本発明は、細径のネックレスチェ−ンであっても、その装着を容易にし、デザイン性に優れた係止体を提供することを目的とする。
【０００４】
【課題を解決するための手段】
上記課題を解決するために請求項１のネックレスチェーンの係止体に係る発明は、上部半割体１と下部半割体２とを備えるネックレスチェーンの係止体であって、前記下部半割体２には、一端部に衝合部７iを備える円筒部２１が形成され、他端部に衝合部８iを備える半円筒状の下側凹部２２が形成されると共に、中央部に前記上部半割体１に形成された上側係合部１２の係合凸部１３と係合する係合凹部２４を備える下側係合部２３が設けられ、前記上部半割体１には、一端部に開口部が形成された押圧部５が形成され、他端部に衝合部８iを備える半円筒状の上側凹部１１が形成されると共に、中央部に前記下部半割体２の係合凹部２４と係合する係合凸部１３が設けられ、前記両衝合部と、前記上部半割体１及び前記下部半割体２の各中央部との間に、ネックレスチェーン端部の係止部の移動を可能とする空所が形成されており、前記押圧部５と前記下側凹部２２との間にばね４を設けて、前記押圧部５の押圧により前記下部半割体２に軸支された前記上部半割体１の一端を開閉自在としたことを特徴とする。
【０００５】
【実施の形態】
本発明のネックレスチェ−ンの係止体は、図１ないし図５に示され、下記に述べられるような上部半割体１、下部半割体２を軸３で結合すると共に、両者間にばね４を介在させたものである。図１、図５から特にわかるように上部半割体１には、上側凹部（半円筒部）１１の中央部に係合凸部１３を備える上側係合部１２が設けられ、また、係合凸部１３には軸３が挿入される孔１４が開けられている。さらに、ばね４の上部係止用突起１５が設けられている。
【０００６】
下部半割体２は、図５に示すようにその一端部に衝合部７iを備える円筒部２１を備え、他端部に前記衝合部7iと同様な衝合部の一部を備える半円筒状の下側凹部２２が形成される。下側凹部２２の中央部には、上部半割体１の係合凸部１３が係合する係合凹部２４を備え、軸３が挿入される孔２５，２６を有する下側係合部２３を備えている。衝合部７iと下側凹部２２の中央部との間には、ネックレスチェーン端部の係止部aの移動を可能とする余裕部分が設けられる。下側係合部２３は下部半割体２に一体に形成されてもよい。さらに、ばね４の下部係止用突起２７が設けられている。
上部半割体１は、一端部に下部半割体の衝合部と共に衝合部８iを形成し、該衝合部８iと中央部との間に形成される余裕部分で、ネックレスチェーン端部の係止部の移動を可能とする。そして、中央部に下部半割体２の係合凹部２４と係合する係合凸部１３が形成されると共に、他端部には開口部が形成された押圧部５が設けられる。
【０００７】
そして、上部半割体１、下部半割体２が、図５に示すように、軸３、ばね４を用いて（ａ´）を（ｂ）に重ねるように組み立てられ、両端に孔７、８を有する一体の係止体ができる。上部半割体１には、押圧部５が設けられており、図４の断面図からも明らかなように、押圧部５が押圧されたとき、上部係止用突起１５がばね４を押圧するので、上部半割体１は軸３の回りに回転し、上部半割体の端部の孔８がさらに開口する。押圧部５は、図１に示すように鍵孔模様が開けられているが、それはネックレスチェ−ンの装着時に手の爪部分が入り、装着あるいは取りはずしを容易にするものである。しかし、鍵孔模様のような開口部でなくてもよく、まったく開口部を設けなくてもよい。
【０００８】
ネックレスチェ−ンＣは、図８に示すようにその端部に係合する係止部ａ、ｂを備える。係止部ａ、ｂはネックレスチェ−ン端部を覆うように中空体もしくは底部を有する円筒体から構成され、ネックレスチェ−ン端部にかぶせるように係合し、かしめられる。次に、ネックレスチェ−ンの係止体との組立を説明する。ネックレスチェ−ンの一端を下部半割体２の円筒部２１から係止部ａを備えない孔７（図１（ｂ））を通して、ネックレスチェ−ンを挿通した後、係止部aをかしめ、係止部ａを孔７の内側７ｉとその大径部が衝合させるようにする。そこで、下側半割体２の下側係止用突起２７と上側係止用突起１５にばね４をはさむようにして、下側半割体２に上側半割体１を被せ、孔１４、２５、２６、切欠１６に軸３を通し、固定する。次に、ネックレスチェ−ンの他端に係止部ｂをかしめ、固定する。この段階で、ネックレスチェ−ンは使用するため装着できる状態にある。
【０００９】
次に、ネックレスチェ−ンの装着について説明する。上記装着できる状態になったネックレスチェ−ンの係止体の押圧部５に人差し指の先端部をあて、ネックレスチェ−ンの他端の係止部ｂを指でつまんで首部の後ろ側に位置させる。（ネックレスチェ−ンの装飾によっては、首部の前でも良い。）。そこで、押圧部５を押圧して孔８を開口させて（図６）、係止部ｂを孔８内に挿入する。挿入後、係止体の押圧部５の押圧をやめれば、ばね４の反発力で孔８の開放は閉じ、ネックレスチェ−ンＣを軽く引っ張れば、係止部ｂの大径部が孔８の内端８ｉに衝合し、ネックレスチェ−ンの端部が抜けることはない。ネックレスチェ−ンの両係止部ａ、ｂは係止体の内部で移動できるように、係止体の内部には余裕（遊び）部分である空所がある（図７）。
【００１０】
次にチェ−ンの装着をはずすときは、係止体の押圧部５を押圧し、ネックレスチェ−ンの係止部ｂを引き抜けば良い。
【００１１】
上記ネックレスチェ−ン、係止体及び係止部の材料は、従来用いられている金、銀等の貴金属、あるいは他の材料に金メッキした材料が適宜用いられる。また、この実施の形態ではネックレスチェ−ンの直径を１．５ｍｍ、係止体の直径を３ｍｍ程度としたが、その数値もネックレスチェ−ンの径と共に、当業者が自由に選択できるものである。
【００１２】
【発明の効果】
本発明によれば、ネックレスチェ−ンの装着取りはずしが簡単になり、また、装着部の径をネックレスチェ−ンの径に近いものとすることができ、装着性能を失うことなく、デザイン性にも優れたネックレスチェ−ンを得ることができる。
【図面の簡単な説明】
【図１】本発明の係止体の平面図（ａ）とその右側面図（ｂ）を示す。
【図２】本発明の係止体の正面図（ａ）とその左側面図（ｂ）を示す。
【図３】図１の係止体を、Ａ−Ａ線にそって紙面に垂直に見た概略断面図である。
【図４】図３において、押圧部５を押圧した状態を示す図である。
【図５】係止体の各部品を斜視図で見た図であり、（ａ）は上部半割体１の裏面の斜視図であり、矢印のように（a）の状態で１８０度回転させた（ａ´）を（ｂ）に重ね、（ｃ）のように組み立てることを示す図である。
【図６】ネックレスチェ−ンを係止体に装着するときの説明図である。
【図７】ネックレスチェ−ンが係止体に装着されたことを示す図である。
【図８】ネックレスチェ−ンの端部の係止部を示す図である。
【符号の説明】
Ａ・・・係止体、１・・・上部半割体、２・・・下部半割体、３・・・軸、４・・・ばね、Ｃ・・・ネックレスチェ−ン、ａ、ｂ・・・係止部
【図１】
0003867252.tif 000002
【図２】
0003867252.tif 000003
【図３】
0003867252.tif 000004
【図４】
0003867252.tif 000005
【図５】
0003867252.tif 000006
【図６】
0003867252.tif 000007
【図７】
0003867252.tif 000008
【図８】
0003867252.tif 000009